(57)【要約】      （修正有）【課題】片手で鮮明な口腔内部を撮影できる口腔内撮影用カメラシステムを提供する。【解決手段】口腔内撮影用カメラシステム１０は、レンズ１４と、レンズ１４が取り付けられ、ホットシューが設けられたカメラ１２と、レンズ１４の前面側に取り付けられたクローズアップレンズ１６と、クローズアップレンズ１６よりも前面側に設けられ、口腔内を照らす照明部１８と、ホットシューに設けられ、照明部１８に電源を供給する電源部２０と、を備える。【選択図】図２
0003209830.tif 000002
【実用新案登録請求の範囲】
【請求項１】
レンズと、
前記レンズが取り付けられ、ホットシューが設けられたカメラと、
前記レンズに装着されたクローズアップレンズと、
前記クローズアップレンズよりも前面側に設けられ、口腔内を照らす照明部と、
前記ホットシューに取り付けられ、前記照明部に電源を供給する電源部と、を備えた口腔内撮影用カメラシステム。
【請求項２】
請求項１記載の口腔内写真撮影用カメラにおいて、
前記照明部の形状が、正面視して中央部に孔が形成された環状であり、
前記孔の周囲に沿って間隔をあけて配置された８個以上のＬＥＤを有する口腔内撮影用カメラシステム。
【請求項３】
請求項２記載の口腔内写真撮影用カメラにおいて、
前記照明部が、撮影前から撮影後まで、撮影のタイミングと無関係に点灯し前記口腔内を照らす口腔内撮影用カメラシステム。
【考案の詳細な説明】
【技術分野】
【０００１】
本考案は、口腔内撮影用カメラシステムに関する。
【背景技術】
【０００２】
非特許文献１には、デジタルカメラを用いて口腔内を撮影する技術が記載されている。
【先行技術文献】
【特許文献】
【０００３】
【非特許文献１】野上兼一郎、「日常外来での画像作成・記録  口腔・中咽頭領域」、ＪＨＯＮＳ、株式会社東京医学社、２００３年１２月、第１９巻、第１２号、ｐ．１７１７−１７２０
【考案の概要】
【考案が解決しようとする課題】
【０００４】
ここで一般に、口腔内を撮影するためには高度な技術を要し、以下に示すような問題が存在する。
第１の問題は、口腔の形態にある。
口腔内は入口が狭く、奥が広い。更に歯が邪魔をしている。そのために口腔内にうまく光が入らない。咽頭反射が強い患者であると、なかなか口をうまく開けられない。そのために、シャッターチャンスをうまく捉えきれず、何度シャッターを押してもうまく撮影できず、断念することもしばしば発生する。
内視鏡を使えば記録には残せるが、デジカメと比べるとデフォルメされ、色調も含め画質の差は歴然としている。
【０００５】
そこで従来は、口腔内にうまく光を入れるために、図１に示すようなリングストロボ１が利用されている。
しかし、口腔内に光が常時確実に入ることがないために、撮影できないことがしばしば発生する。特に問題となるのは、リングストロボ１の径の大きさである。市販されているリングストロボ１は、いずれも最小径が７０ｍｍ以上である。
【０００６】
患者が口を大きく開けても、上下の前歯の間は４０〜５０ｍｍ程度しか開かない。患者によっては２０ｍｍ程度しか開かない場合もある。このような場合、リングストロボ１の光は入り口（歯）で邪魔をされ、口蓋扁桃や咽頭後壁（領域Ａ）に光が入らずに影が形成される。
【０００７】
歯科医を対象とした口腔内カメラシステムは多数市場に出ているが、撮影の主たる目的は歯及び歯肉であり、口蓋扁桃や中咽頭、舌、頬部粘膜、及び口蓋垂などは撮影対象とは考えられていない。その意味では「歯及び歯肉カメラ」であり、「口腔内カメラ」とは言えない。被写体が「歯」または「歯肉」であれば従来の大きさのリングストロボ１で特に支障は生じない。
【０００８】
また、口腔内を撮影する上で、照明部としてのストロボには欠点が存在する。第１の欠点は、口腔内は口を開けただけでは暗いので、撮影するには補助光が必要なことである。第２の欠点は、咽頭反射が強い患者さんや乳幼児では撮影者の希望通りに口を開けてくれないために、ストロボで一瞬のシャッターチャンスを捉えて撮影するのは非常に困難なことである。第３の欠点は、動画を撮影できないことである。
【０００９】
第２の問題は、マクロ（近接）撮影であることである。以下、マクロ撮影で注意すべき点について説明する。
第１の注意点は、被写界深度である。
カメラと被写体の距離が近くなると被写界深度（被写体にフォーカスを合わせたとき、その前後のフォーカスが合っているように見える範囲）は浅くなる。
被写界深度が浅くなることを利用して目的とする被写体の前後をボケさせることにより、被写体をより強調させることがマクロ撮影の通常の手法である。
しかし、口腔内病変を記録するためには、口腔内全てにフォーカスの合った写真が望まれるので、通常のマクロ撮影の撮影方法を踏襲することはできない。
その対策は絞りを絞ることである。口腔内撮影ではワーキングディスタンス（レンズ先端から被写体までの距離）が１５０〜２５０ｍｍ前後で、その前後５０〜１００ｍｍの範囲にフォーカスが合うことが求められる。ただし、大きな撮像素子が搭載されたカメラであるとその条件を満たす事ができない。
【００１０】
第２の注意点は、手ぶれ及び被写体ぶれである。
小さい被写体を拡大撮影するので、わずかのぶれも許されない。そのため一般的にはマクロ撮影では三脚を用いてカメラを固定して行う。しかし、口腔内撮影で三脚を用いるのは現実的には不可能であり、手持ち撮影をせざるを得ない。
「手ぶれ」は撮影者がシャッターを押す際にカメラを動かして像がぶれることである。手ぶれは熟練によりかなり軽減させる事が出来る。一方、「被写体ぶれ」は患者の体や口腔内が動くことである。そのため被写体ぶれを軽減させることは困難である。
これら手ぶれ及び被写体ぶれの影響を抑制するには、１００分の１秒又は１００分の１秒より速いシャッター速度に設定する必要がある。
【００１１】
本考案は、片手で鮮明な口腔内部を撮影できる口腔内撮影用カメラシステムを提供することを目的とする。
【課題を解決するための手段】
【００１２】
前記目的に沿う本発明に係る口腔内撮影用カメラシステムは、レンズと、
前記レンズが取り付けられ、ホットシューが設けられたカメラと、
前記レンズに装着されたクローズアップレンズと、
前記クローズアップレンズよりも前面側に設けられ、口腔内を照らす照明部と、
前記ホットシューに取り付けられ、前記照明部に電源を供給する電源部と、を備える。
【００１３】
本発明に係る口腔内撮影用カメラシステムにおいて、
前記照明部の形状が、正面視して中央部に孔が形成された環状であり、
前記孔の周囲に沿って間隔をあけて配置された８個以上のＬＥＤを有することが好ましい。
【００１４】
本発明に係る口腔内撮影用カメラシステムにおいて、
前記照明部が、撮影前から撮影後まで、撮影のタイミングと無関係に点灯し前記口腔内を照らすことが好ましい。
【考案の効果】
【００１５】
本考案によれば、片手で鮮明な口腔内部を撮影できる口腔内撮影用カメラシステムを提供できる。
【図面の簡単な説明】
【００１６】
【図１】リングストロボを用いた口腔内の撮影の状態を示す説明図である。
【図２】本考案の一実施の形態に係る口腔内撮影用カメラシステムの外観図である。
【図３】電源部及び駆動回路を取り外した同口腔内撮影用カメラシステムの外観図である。
【図４】同口腔内撮影用カメラシステムが有するレンズの外観図である。
【図５】同口腔内撮影用カメラシステムが有するレンズの内部構造を模式的に示した断面図である。
【図６】同口腔内撮影用カメラシステムによる口腔内の撮影の状態を示す説明図である。
【考案を実施するための形態】
【００１７】
続いて、添付した図面を参照しつつ、本考案を具体化した実施の形態につき説明し、本考案の理解に供する。なお、図において、説明に関連しない部分は図示を省略する場合がある。
【００１８】
本考案の一実施の形態に係る口腔内撮影用カメラシステム１０は、歯及び歯肉よりも奥に位置する口腔内の口蓋扁桃、中咽頭、舌、頬部粘膜、及び口蓋垂などを被写体とし、これらの写真又は動画を撮影できる。
口腔内撮影用カメラシステム１０は、図２に示すように、カメラ１２、レンズ１４、クローズアップレンズ１６、照明部１８、及び電源部２０を備えている。
【００１９】
カメラ１２は、写真又は動画の撮影が可能なデジタルカメラであり、例えば、ミラーレス一眼レフデジタルカメラであることが好ましい。カメラ１２は、図３に示すホットシュー１２２を有し、レンズ１４（図２参照）が取り付けられている。
カメラ１２の撮像素子（不図示）は、大きいと被写界深度が浅くなり、口腔内の全域にフォーカスを合わせることが困難となるため、小型であることが好ましい。具体的には、撮像素子はマイクロフォーサーズサイズ（１７．３×１３．０ｍｍ）以下が好ましい。
カメラ１２には、撮影した画像を保存するためのメモリーカードが挿入されるカードスロット（不図示）が設けられている。メモリーカードは、無線ＬＡＮ機能付きメモリーカードであることが好ましい。
【００２０】
一方の手で舌圧子５０（図６参照）を取り扱いながら撮影するために、カメラ１２は他方の手で操作できる程度に軽量であることが好ましい。具体的には、カメラ１２の重量は４００ｇ以下であることが好ましく、２００〜３００ｇであることが更に好ましい。
なお、カメラ１２が小型であるために片手で把持し難い場合には、片手で把持することを容易にするための補助具をカメラ１２に装着することが好ましい。
【００２１】
レンズ（交換レンズ）１４は、広角から標準域をカバーできるズームレンズである。
クローズアップレンズ１６は、レンズ１４の前面側に装着されている。ズームレンズであるレンズ１４のみでは近接撮影が困難となるため、例えばＮｏ．３又はＮｏ．４のクローズアップレンズを装着することで無理なく近接撮影が可能となる。
【００２２】
照明部１８は、図４及び図５に示すように、側面視してクローズアップレンズ１６よりも前面側に設けられ、口腔内を照らすことができる。照明部１８の形状は、正面視して中央部に孔Ｈ１０が形成された円環状である。
【００２３】
照明部１８は、前面側に配置された複数のＬＥＤ１８２を有している。各ＬＥＤ１８２は、例えば高輝度砲弾型のＬＥＤであり、孔Ｈ１０の縁に沿って間隔を空けて配置されている。詳細には、少なくとも８個のＬＥＤ１８２が孔Ｈ１０の中心を中心とする円周上に実質的に均等となる間隔を空けて配置されている。各ＬＥＤ１８２がこのように配置されていることにより、照明部１８によって口腔内に影が生じることが抑制される。
なお、照明部１８が有する発光体は、ＬＥＤ１８２に限定されるものではない。
【００２４】
正面視して各ＬＥＤの孔Ｈ１０の中心側の端部を結ぶと円が形成され、図５に示すこの円の直径Ｄ（以下、「照明部１８の内径Ｄ」という。）は、ケラレが生じない範囲で小さく設定されることが好ましい。照明部１８の内径Ｄが小さければ小さいほど光軸と撮影軸は平行に近づくので、照明光が口腔内に到達する。しかし、その分、照明部１８によるケラレが大きくなる。ケラレを抑制するとともに照明光が口腔内に到達できるようにするために、内径Ｄが、例えば３０〜３５ｍｍに設定されていることが好ましい（図６参照）。
すなわち、レンズ１４の光軸の先端側からみて光軸を中心とする直径３０〜３５ｍｍの範囲が照明部１８の内側に位置するように照明部１８が配置されていることが好ましい。換言すると、光軸を中心とする直径３０〜３５ｍｍの範囲が照明部１８に干渉しないように設定されることが好ましい。
また、照明部１８の厚みｔ（図５参照）についても、ケラレが生じない程度に薄く設定されることが好ましい。詳細には、厚みｔは、例えば１０ｍｍ以下であることが好ましい。
各ＬＥＤ１８２は並列に接続され、駆動電圧が抑えられてる。
【００２５】
このように、照明部１８が複数のＬＥＤ１８２を有し、十分な光量で口腔内が照らされるので、絞りを絞るとともに１００分の１秒又は１００分の１秒より速いシャッター速度に設定できる。従って、手ぶれ及び被写体ぶれの影響を軽減した上でマクロ撮影ができる。
また、照明部１８を撮影前から撮影後まで、撮影のタイミングと無関係に常時点灯することによって口腔内が明るく照らされ、撮影者は病変部を確認した上で撮影できる。
なお、撮影者の希望通りに口を開けられない患者に対しては動画撮影を行い、その中から適した瞬間の静止画を切り出すことによって、目的とする画像を得ることができる。
【００２６】
電源部２０（図２参照）は、照明部１８に電源を供給できる。電源部２０は、例えば、４つの単４電池を有しており、これら単４電池はケースに収められている。
電源部２０は、ホットシュー１２２（図３参照）に取り付けられる。
電源部２０には、図２に示すように、ＬＥＤ１８２を駆動するための駆動回路２２が隣接して設けられている。駆動回路２２は、ＬＥＤ１８２を駆動する電流を制限する電流制限抵抗（不図示）により少なくとも構成され、各電流制限抵抗は、ケーブル２２２を介してＬＥＤ１８２に接続されている。
【００２７】
次に、口腔内撮影用カメラシステム１０を用いた口腔内の撮影方法について説明する。なお、以下に示すステップは、可能な場合は、順番が入れ替わって実行されてもよいし、並行して実行されてもよい。
【００２８】
（ステップＳ１）
口腔内撮影用カメラシステム１０を準備する。また、舌圧子５０（図６参照）を準備する。
【００２９】
（ステップＳ２）
照明部１８（図２参照）を点灯させる。
【００３０】
（ステップＳ３）
右手で口腔内撮影用カメラシステム１０を持って口腔内を照らし、左手で舌圧子５０を取り扱いながら病変部を確認する（図６参照）。
【００３１】
（ステップＳ４）
病変部を撮影する。なお、撮影条件は、例えば、絞り値Ｆ６．３、ＩＳＯ感度２００、及びシャッター速度１００分の１秒である。
【００３２】
（ステップＳ５）
撮影したデータが、無線ＬＡＮ機能付きメモリーカードを介してパーソナルコンピュータやタブレットに転送され、口腔内の画像又は映像を患者に示すことができる。
【００３３】
以上説明したように、口腔内撮影用カメラシステム１０によれば、片手で鮮明な口腔内部を撮影できる
【００３４】
以上、本考案の実施の形態を説明したが、本考案は、上記した形態に限定されるものでなく、要旨を逸脱しない条件の変更等は全て本考案の適用範囲である。
【符号の説明】
【００３５】
１  リングストロボ
１０  口腔内撮影用カメラシステム
１２  カメラ
１４  レンズ
１６  クローズアップレンズ
１８  照明部
２０  電源部
２２  駆動回路
５０  舌圧子
１２２  ホットシュー
１８２  ＬＥＤ
２２２  ケーブル
Ｈ１０  孔
【図１】
0003209830.tif 000003
【図２】
0003209830.tif 000004
【図３】
0003209830.tif 000005
【図４】
0003209830.tif 000006
【図５】
0003209830.tif 000007
【図６】
0003209830.tif 000008